(57)【要約】【課題】  画像形成装置側のメモリ使用量、及び通信データ量を大幅に削減するとともに、これによる画像形成装置の十分な印刷処理能力を発揮させる。【解決手段】  入力情報に基づいて画像を形成する画像形成装置３０と、画像形成装置３０に関するデータを、この画像形成装置３０から受信する情報端末装置１０とを備えた画像形成システムであって、画像形成装置３０は値が変動する動的データを読み取る動的データ読取手段３３−１と、読み取られた動的データを情報端末装置１０へ送信する送信手段３１とを有し、情報端末装置１０は、動的データの表示に用いるデータであって、値が変動しない静的データを記憶する記憶手段１３と、送信手段３１により送信された動的データを受信する受信手段１５と、記憶されていた静的データと、受信された動的データとを結合するデータ結合手段１４−１と、結合により得られたデータを表示する表示手段１２とを有した。【選択図】        図１
2005157769.tif 000002
【特許請求の範囲】
【請求項１】
入力情報に基づいて画像を形成する画像形成装置と、
前記画像形成装置に関するデータを、この画像形成装置から受信する情報端末装置とを備えた画像形成システムであって、
前記画像形成装置は、
値が変動する動的データを読み取る動的データ読取手段と、
読み取られた前記動的データを前記情報端末装置へ送信する送信手段とを有し、
前記情報端末装置は、
前記動的データの表示に用いるデータであって、値が変動しない静的データを記憶する記憶手段と、
前記送信手段により送信された前記動的データを受信する受信手段と、
記憶されていた前記静的データと、受信された前記動的データとを結合するデータ結合手段と、
前記データ結合手段による結合により得られたデータを表示する表示手段とを有した
ことを特徴とする画像形成システム。
【請求項２】
請求項１に記載の画像形成システムにおいて、
前記画像形成装置、及び／又は前記情報端末装置がＷｅｂ機能を有しており、
前記動的データがＨＴＭＬパラメータを含み、
前記静的データがＨＴＭＬテンプレートを含む
ことを特徴とする画像形成システム。
【請求項３】
請求項１又は２に記載の画像形成システムにおいて、
前記動的データが、前記静的データを指定する指定ＩＤ情報と、画像形成装置の状態情報を貼り付けるインデックスを示すインデックスＩＤ情報と、前記インデックスＩＤ情報に基づいて貼り付けられた前記状態情報とを含み、
前記記憶手段は、複数の前記静的データを記憶し、
前記情報端末装置は、前記動的データに含まれる前記指定ＩＤ情報に基づいて複数の前記静的データのうちいずれかの静的データを選択する静的データ選択手段をさらに有し、
前記データ結合手段は、前記静的データ選択手段により選択された静的データと受信された前記動的データとを結合する
ことを特徴とする画像形成システム。
【請求項４】
入力情報に基づいて画像を形成する画像形成装置に関するデータを、この画像形成装置から受信する情報端末装置であって、
前記情報端末装置は、
値が変動する動的データの表示に用いるデータであって、値が変動しない静的データを記憶する記憶手段と、
前記画像形成装置から送信された前記動的データを受信する受信手段と、
記憶されていた前記静的データと、受信された前記動的データとを結合するデータ結合手段と、
前記データ結合手段による結合により得られたデータを表示する表示手段とを有した
ことを特徴とする情報端末装置。
【請求項５】
入力情報に基づいて画像を形成する画像形成装置と、
前記画像形成装置に関するデータを、この画像形成装置から受信する情報端末装置とを備えた画像形成システムの制御方法であって、
前記画像形成装置が、
値が変動する動的データを読み取る動的データ読取ステップと、
読み取られた前記動的データを前記情報端末装置へ送信する送信ステップとを含み、
前記情報端末装置は、
前記動的データの表示に用いるデータであって、値が変動しない静的データを記憶する記憶ステップと、
前記送信ステップにより送信された前記動的データを受信する受信ステップと、
記憶されていた前記静的データと、受信された前記動的データとを結合するデータ結合ステップと、
前記データ結合ステップによる結合により得られたデータを表示する表示ステップとを含む
ことを特徴とする画像形成システムの制御方法。
【発明の詳細な説明】
【技術分野】
【０００１】
本発明は、画像形成システム、それに含まれる情報端末装置及び画像形成システムの制御方法に関し、より詳しくは、情報端末装置と互いに接続された画像形成装置とを含む画像形成システムにおいて、情報端末装置に通信情報の一部を予め保有させておくことにより画像形成装置内部のメモリ使用量を低減させることのできる画像形成システム、それに含まれる情報端末装置及び画像形成システムの制御方法に関する。
【背景技術】
【０００２】
一般に、Ｗｅｂ機能を有する装置は、ブラウザによって表示可能なＨＴＭＬ（Ｈｙｐｅｒ  Ｔｅｘｔ  Ｍａｒｋｕｐ  Ｌａｎｇｕａｇｅ）データを保持しており、ネットワーク網を介して接続されたクライアント側の端末装置（以下、単に「クライアント」と呼ぶ。）からの送信要求に応じ、そのデータをクライアントに表示させている。
このような技術は画像形成装置においても適用されており、Ｗｅｂ機能を有する従来の画像形成装置は、内部メモリにＨＴＭＬデータを保持させていた。これにより、画像形成装置のＷｅｂ機能は、主にクライアントによる画像形成装置の状態確認や、設定変更などを可能にしていた。
【０００３】
しかし、Ｗｅｂの表示形式は言語ごとに異なるため、そのデータ容量は小さくなかった。
更に、画像形成装置の主要な処理である印刷処理などにメモリ資源を有効活用させることを優先させる必要があるため、Ｗｅｂ機能のために多くのメモリ領域を占有させることもできなかった。
そこで、このような問題を解決するための画像形成装置に適用可能な関連技術として、圧縮又は縮小したＨＴＭＬデータをサーバ側からクライアント側へ送信し、クライアント側でその受け取ったＨＴＭＬデータを伸長する技術が開示されている（例えば、特許文献１参照。）。
【０００４】
したがって、この関連技術を従来の画像形成装置に適用すれば、通信データ量を低減させるだけでなく、装置内のメモリに格納されるＨＴＭＬデータ量も削減することが可能となる。
【特許文献１】特開２００２−７３４５１号公報（第５−６頁、第２図）
【発明の開示】
【発明が解決しようとする課題】
【０００５】
以上のような従来の画像形成装置によれば、装置内のメモリに格納されるＨＴＭＬデータ量を削減することができるが、そのデータ圧縮率は、例えばＺＩＰ形式の圧縮アルゴリズムによって圧縮したとしても最大で５０％程度であり、元々データ量の大きいＨＴＭＬデータにとっては、メモリ使用量の大きな削減には繋がらない。結局、画像形成装置内部のＷｅｂ機能に要するメモリ使用量を大幅には削減することができないといった問題があった。
また、このＷｅｂ機能に要するメモリ使用量が十分に削減されないことにより、印刷処理時の画像データ等の一時記憶領域が確保できず、十分な印刷処理能力が発揮されないといった問題もあった。
さらに、ＨＴＭＬデータのデータ量は大幅には削減されないため、画像形成装置とクライアント間の通信においてもトラフィックが十分に軽減されないといった問題を引き起こしていた。
【０００６】
本発明は、以上のような問題を解決するためになされたものであり、情報端末装置と画像形成装置とを接続した画像形成システムにおいて、通信データの一部を予め情報端末装置側に保持させることにより、画像形成装置側のメモリ使用量、及び通信データ量を大幅に削減するとともに、これによる画像形成装置の十分な印刷処理能力を発揮させることのできる画像形成システム、それに含まれる情報端末装置及び画像形成システムの制御方法の提供を目的とする。
【課題を解決するための手段】
【０００７】
上記目的を達成するため、本発明の画像形成システムは、入力情報に基づいて画像を形成する画像形成装置と、画像形成装置に関するデータを、この画像形成装置から受信する情報端末装置とを備えた画像形成システムであって、画像形成装置は、値が変動する動的データを読み取る動的データ読取手段と、読み取られた動的データを情報端末装置へ送信する送信手段とを有し、情報端末装置は、動的データの表示に用いるデータであって、値が変動しない静的データを記憶する記憶手段と、送信手段により送信された動的データを受信する受信手段と、記憶されていた静的データと、受信された動的データとを結合するデータ結合手段と、データ結合手段による結合により得られたデータを表示する表示手段とを有した構成としてある。
【０００８】
画像形成システムをこのような構成にすれば、情報端末装置の記憶手段に静的データを記憶させているため、画像形成装置では、静的データを保持する必要がなくなり、データを保持するためのメモリの使用量を大幅に削減することができる。
例えば、情報端末装置における表示データがＨＴＭＬデータである場合には、動的データとしてのＨＴＭＬパラメータと、静的データとしてのＨＴＭＬテンプレートに分離することができる。ここで、図３に示すようにＨＴＭＬデータの総データ量が１８．３Ｋｂｙｔｅである場合（図３（ｃ））には、ＨＴＭＬパラメータ４９３ｂｙｔｅ（図３（ａ））とＨＴＭＬテンプレート１７．８Ｋｂｙｔｅ（図３（ｂ））に分離することができる。
【０００９】
すなわち、従来これらのＨＴＭＬデータの総データ（１８．３Ｋｂｙｔｅ）を画像形成装置側に保持させ、この総データを情報端末装置側へ送信することでＨＴＭＬデータを表示手段に表示させていた場合に比べ、本発明の画像形成システムでは、ＨＴＭＬパラメータ（４９３ｂｙｔｅ）のみを保持させれば情報端末装置側では従来と同様の表示結果を得ることができる。
したがって、画像形成装置側で保持すべきデータ量（４９３ｂｙｔｅ）は、従来の１８．３Ｋｂｙｔｅの約３％にまで削減することができる。
また、これにより画像形成装置側では、印刷処理時の画像データ等の一時記憶領域も確保され、十分に印刷処理能力を発揮することができる。
さらに、画像形成装置から情報端末装置へ送信するデータ量（４９３ｂｙｔｅ）も従来の１８．３Ｋｂｙｔｅの約３％にまで削減されることとなり、画像形成装置と情報端末装置間のトラフィックも十分に軽減される。したがって、この画像形成システムに複数の画像形成装置が接続されている場合に、これらの画像形成装置から情報端末装置に対するデータ送信が一時に集中したとしても、トラフィックが極端に大きくなることはない。
【００１０】
また、本発明の画像形成システムは、画像形成装置、及び／又は情報端末装置がＷｅｂ機能を有しており、動的データがＨＴＭＬパラメータを含み、静的データがＨＴＭＬテンプレートを含む構成としてある。
【００１１】
画像形成システムをこのような構成にすれば、情報端末装置の記憶手段にＨＴＭＬテンプレートを記憶させたため、画像形成装置では、ＨＴＭＬテンプレートを保持する必要がなくなり、データを保持するためのメモリの使用量を大幅に削減することができる。
このように、動的データがＨＴＭＬパラメータを含み、静的データがＨＴＭＬテンプレートを含む、いわゆるＨＴＭＬデータを取り扱う場合には、上述したように画像形成装置側で保持すべきデータ量は極めて小さくなるため、本発明による効果は大きい。
【００１２】
また、本発明の画像形成システムは、動的データが、静的データを指定する指定ＩＤ情報と、画像形成装置の状態情報を貼り付けるインデックスを示すインデックスＩＤ情報と、インデックスＩＤ情報に基づいて貼り付けられた状態情報とを含み、記憶手段は、複数の静的データを記憶し、情報端末装置は、動的データに含まれる指定ＩＤ情報に基づいて複数の静的データのうちいずれかの静的データを選択する静的データ選択手段をさらに有し、データ結合手段は、静的データ選択手段により選択された静的データと受信された動的データとを結合する構成としてある。
【００１３】
画像形成システムをこのような構成にすれば、動的データには、インデックスＩＤ情報に基づいて状態情報が添付され、また、この動的データを指定ＩＤ情報に基づいて静的データと結合させることができる。
このため、情報端末装置側の記憶手段に記憶されている静的データが複数あっても、確実に指定された静的データを動的データ部と結合させることができる。
例えば、ＨＴＭＬテンプレートが、日本語，英語，ドイツ語等の複数種類からなる場合であっても、動的データ部に付加されてくる指定ＩＤ情報により所定のＨＴＭＬテンプレートが指定できるので、情報端末装置で表示するデータ形式も日本語，英語，ドイツ語といった複数種類から選択することが可能となる。
【００１４】
また、本発明の情報端末装置は、入力情報に基づいて画像を形成する画像形成装置に関するデータを、この画像形成装置から受信する情報端末装置であって、情報端末装置は、値が変動する動的データの表示に用いるデータであって、値が変動しない静的データを記憶する記憶手段と、画像形成装置から送信された動的データを受信する受信手段と、記憶されていた静的データと、受信された動的データとを結合するデータ結合手段と、データ結合手段による結合により得られたデータを表示する表示手段とを有した構成としてある。
【００１５】
情報端末装置をこのような構成にすれば、静的データを予め記憶手段に記憶しているため、画像形成装置から動的データのみを受信することにより、これら静的データと動的データとを結合して、得られたデータを表示手段に表示させることができる。
このため、画像形成装置では、静的データを保持する必要がなくなり、データを保持するためのメモリの使用量を大幅に削減することができる。
【００１６】
また、本発明の画像形成システムの制御方法は、入力情報に基づいて画像を形成する画像形成装置と、画像形成装置に関するデータを、この画像形成装置から受信する情報端末装置とを備えた画像形成システムの制御方法であって、画像形成装置が、値が変動する動的データを読み取る動的データ読取ステップと、読み取られた動的データを情報端末装置へ送信する送信ステップとを含み、情報端末装置は、動的データの表示に用いるデータであって、値が変動しない静的データを記憶する記憶ステップと、送信ステップにより送信された動的データを受信する受信ステップと、記憶されていた静的データと、受信された動的データとを結合するデータ結合ステップと、データ結合ステップによる結合により得られたデータを表示する表示ステップとを含む方法としてある。
【００１７】
画像形成システムの制御方法をこのような方法にすれば、情報端末装置は、記憶ステップにて静的データを記憶しているため、画像形成装置では、静的データを保持する必要がなくなり、データを保持するためのメモリの使用量を大幅に削減することができる。
また、これにより画像形成装置側では、印刷処理時の画像データ等の一時記憶領域も確保され、十分に印刷処理能力を発揮することができる。
さらに、画像形成装置から情報端末装置へ送信するデータ量も従来より大幅に削減されることとなり、画像形成装置と情報端末装置間のトラフィックも十分に軽減される。したがって、この画像形成システムに複数の画像形成装置が接続されている場合に、これらの画像形成装置から情報端末装置に対するデータ送信が一時に集中したとしても、トラフィックが極端に大きくなることはない。
【発明の効果】
【００１８】
本発明によれば、情報端末装置の記憶手段に静的データを記憶させたため、画像形成装置では、静的データを保持する必要がなくなり、データを保持するためのメモリの使用量を大幅に削減することができる。
また、これにより画像形成装置側では、印刷処理時の画像データ等の一時記憶領域も確保され、十分に印刷処理能力を発揮することができる。
さらに、画像形成装置から情報端末装置へ送信するデータ量も大幅に削減されることとなり、画像形成装置と情報端末装置間のトラフィックも十分に軽減させることができる。
【発明を実施するための最良の形態】
【００１９】
以下、本発明の実施形態について図面を参照して説明する。
本発明の実施形態に係る画像形成システムについて、図１を参照して説明する。
図１は、本発明の実施形態に係る画像形成システムの全体構成図である。なお、図１に示した画像形成システムの全体構成図は、本発明を説明する上で最小限の構成である。
【００２０】
図１に示すように、画像形成システムは、情報端末装置１０と、画像形成装置３０とが、ネットワーク網２０を介して互いに接続されている。なお、本実施形態に係る情報端末装置１０又は画像形成装置３０はＷｅｂ機能を有しており、画像形成装置３０は、ネットワーク網２０を介して接続される情報端末装置１０へ状態情報等のＨＴＭＬデータを送信する。これにより、画像形成装置３０は、装置内の各種情報を情報端末装置１０に提供する。
また、ＨＴＭＬデータは、値が変動することのないＨＴＭＬテンプレート（静的データ部）と、このＨＴＭＬデータの表示に用いるデータであり、値が変動することのあるＨＴＭＬパラメータ（動的データ部）とに大別することができる。
【００２１】
なお、ＨＴＭＬテンプレートとしては、例えば、表示情報のうちの固定項目内容，表示形式，色，大きさ等の情報があり、日本語，英語，ドイツ語といった表示言語の種類によっても複数種類のテンプレートが作成できる。また、ＨＴＭＬパラメータとしては、画像形成装置３０に固有のデータ情報を示すテキスト情報等が殆どであり、例えば、プリンタ名，トナー残量，用紙サイズ等がある。
また、ＨＴＭＬパラメータは、ＨＴＭＬテンプレートを指定する指定ＩＤ情報と、画像形成装置３０の状態情報を貼り付けるインデックスを示すインデックスＩＤ情報と、インデックスＩＤ情報に基づいて貼り付けられた状態情報とを含んでいる。
【００２２】
情報端末装置１０は、例えば、汎用のパーソナルコンピュータにより構成され、入力手段１１と、表示手段１２と、記憶手段１３と、端末側制御手段１４と、端末側ネットワークインターフェイス（以下、略して「端末側ネットワークＩ／Ｆ」という。）（受信手段）１５とを有している。
入力手段１１は、キーボード，マウス等の利用者により操作可能なインターフェイス部からなり、各種情報の設定、及び画像形成装置３０に対する送信要求等の入力を行う。
表示手段１２は、液晶表示装置、又はブラウン管表示装置等により構成され、入力手段１１により要求されたＨＴＭＬデータ等の情報を取得すると、これを解読して画面上に表示させる。なお、情報の解読には、情報端末装置１０に内蔵されたブラウザが用いられる。
【００２３】
記憶手段１３は、情報端末装置１０内に取り込まれたＨＴＭＬテンプレートを記憶している。また、この記憶手段１３により記憶するＨＴＭＬテンプレートの種類は、一種類又は複数種類であっても良い。
なお、ＨＴＭＬテンプレートの取り込み方法としては、フレキシブルディスクドライブ，ＣＤ−ＲＯＭドライブ等のデータ読取手段により外部記憶媒体に記憶されたＨＴＭＬテンプレートの情報を読み取る（インストールする）方法や、情報端末装置１０に初期設定情報として取り込んでおく方法等、その方法は限定されるものではない。
【００２４】
端末側制御手段１４は、ＣＰＵ等により構成され、情報端末装置１０内の各種構成の制御を行っており、データ結合部（データ結合手段）１４−１と、静的データ選択部（静的データ選択手段）１４−２とを有している。
データ結合部１４−１は、画像形成装置３０から送信されてきたＨＴＭＬパラメータを、記憶手段１３に予め記憶していたＨＴＭＬテンプレートと結合させて、ＨＴＭＬデータを生成する。
静的データ選択部１４−２は、ＨＴＭＬパラメータに含まれる指定ＩＤ情報に基づいて複数のＨＴＭＬテンプレートのうちいずれかのＨＴＭＬテンプレートを選択する。
すなわち、データ結合部１４−１は、静的データ選択部１４−２により選択されたＨＴＭＬテンプレートと、ネットワーク網２０を介して画像形成装置３０から受信したＨＴＭＬパラメータとを結合する。
【００２５】
したがって、記憶手段１３内に複数種類のＨＴＭＬテンプレートが記憶されていたとしても、データ結合部１４−１は、所望のＨＴＭＬテンプレートとＨＴＭＬパレメータとを結合させることができる。
このため、例えば、ＨＴＭＬテンプレートにより表記される文字が、日本語，英語，ドイツ語等の複数種類からなる場合であっても、ＨＴＭＬパラメータに含まれる指定ＩＤ情報により所望のＨＴＭＬテンプレートが指定されるので、情報端末装置１０で表示するデータ形式も日本語，英語，ドイツ語といった複数種類から選択することが可能となる。
【００２６】
なお、記憶手段１３に記憶されているＨＴＭＬテンプレートが一種類であり、指定ＩＤ情報に基づいて選択する必要性がない場合には、静的データ選択部１４−２はなくても良く、この場合には、データ結合部１４−１が直接的に記憶手段１３からＨＴＭＬテンプレートを読み取る構成とすることができる。
【００２７】
端末側ネットワークＩ／Ｆ１５は、ネットワーク網２０と物理的に接続されており、画像形成装置３０との間でデータを送受信するインターフェイスであり、画像形成装置３０から送信されてきたＨＴＭＬパラメータを受信する。
【００２８】
画像形成装置３０は、例えば、プリンタ，コピー機（複写機），ファクシミリ，スキャナ，デジタル複合機（マルチファンクションペリフェラル（ＭＦＰ））等からなり、外部から入力される画像データ等の入力情報に基づいて画像を形成する。また、画像形成装置３０は、ネットワークインターフェイス（以下、略して「ネットワークＩ／Ｆ」という。）（送信手段）３１と、メモリ３２と、制御手段３３とを有している。
【００２９】
ネットワークＩ／Ｆ３１は、ネットワーク網２０と物理的に接続されており、情報端末装置１０との間でデータを送受信するインターフェイスである。また、ネットワークＩ／Ｆ３１は、情報端末装置１０からリクエスト情報（送信要求）をネットワーク網２０を介して受信すると、これに応じてＨＴＭＬパラメータを情報端末装置１０側へＨＴＭＬテンプレートを送信する。
メモリ３２は、例えば、キャッシュメモリ等の一時記憶媒体により構成され、印刷処理に用いられる各種の情報を記憶するとともに、ＨＴＭＬパラメータを記憶している。
【００３０】
制御手段３３は、ＣＰＵ等により構成され、画像形成装置３０内の各種構成の制御を行っており、動的データ読取部（動的データ読取手段）３３−１を有している。
動的データ読取部３３−１は、メモリ３２に記憶されているＨＴＭＬパラメータを読み取って、このデータをネットワークＩ／Ｆ３１へ出力する。
【００３１】
次に、本実施形態に係る画像形成装置の動作について、図２を参照して説明する。
図２は、本実施形態に係る画像形成システム全体の動作を示したラダー図である。
同図において、情報端末装置１０では、記憶手段１３が、予めインストール等により読み込まれたＨＴＭＬテンプレートを記憶する（ステップＳ２０１（記憶ステップ））。
端末側ネットワークＩ／Ｆ１５は、入力手段１１からの利用者によるＨＴＭＬパレメータの送信要求に応じて、このリクエスト情報を画像形成装置３０に送信する（ステップＳ２０２）。
【００３２】
画像形成装置３０では、ネットワークＩ／Ｆ３１が、情報端末装置１０から送信されてきたリクエスト情報を受信すると、動的データ読取部３３−１が、このリクエスト情報に応じた指定ＩＤ情報，インデックスＩＤ情報，このインデックスＩＤ情報により貼り付けられた状態情報を含むＨＴＭＬパラメータをメモリ３２から読み取る（ステップＳ２０３（動的データ読取手段））。
次いで、画像形成装置３０は、ネットワークＩ／Ｆ３１が、読み取られたＨＴＭＬパラメータをネットワーク網２０を介して情報端末装置１０へ送信する（ステップＳ２０４（送信ステップ））。
【００３３】
情報端末装置１０では、端末側ネットワークＩ／Ｆ１５が、送信されてきたＨＴＭＬパラメータを受信する（ステップＳ２０５（受信ステップ））。
次いで、静的データ選択部１４−２が、受信されたＨＴＭＬパラメータに含まれる指定ＩＤ情報に基づいてＨＴＭＬテンプレートを記憶手段１３から選択する（ステップＳ２０６）。
そして、データ結合部１４−１は、受信されたＨＴＭＬパラメータと選択されたＨＴＭＬテンプレートとを結合し（ステップＳ２０７（データ結合ステップ））、この結合により得られたデータを表示手段１２に表示させる（ステップＳ２０８（表示ステップ））。
【００３４】
以上のように、本発明の実施形態に係る画像形成システムによれば、情報端末装置１０の記憶手段１３にＨＴＭＬテンプレートを記憶させたため、画像形成装置３０では、ＨＴＭＬテンプレートを保持する必要がなくなり、ＨＴＭＬデータを保持するためのメモリ３２の使用量を大幅に削減することができる。
また、これにより画像形成装置３０側では、印刷処理時の画像データ等の一時記憶領域も確保され、十分に印刷処理能力を発揮することができる。
さらに、画像形成装置３０から情報端末装置１０へ送信するデータ量も大幅に削減されることとなり、画像形成装置３０と情報端末装置１０間のトラフィックも十分に軽減させることができる。
【００３５】
図３は、本発明の実施形態に係る画像形成システムの情報端末装置におけるデータ結合を概念的に示した模式図である。
同図に示したデータでは、図３（ａ）に示すＨＴＭＬパラメータ４１のデータ量は４９３ｂｙｔｅ、図３（ｂ）に示すＨＴＭＬテンプレート４２のデータ量は１７．８Ｋｂｙｔｅであり、図３（ｃ）に示すＨＴＭＬデータ４３は、ＨＴＭＬパラメータ４１とＨＴＭＬテンプレート４２との総データ量の約１８．３Ｋｂｙｔｅとなる。
なお、図３（ｄ）に示す表示データ４４は、ＨＴＭＬデータを表示手段１２により表示させた場合の表示画面である。
このように、図３に示した例によっても、本実施形態に係る画像形成システムによれば、従来これらのＨＴＭＬデータの総データ（１８．３Ｋｂｙｔｅ）を画像形成装置３０側に保持させ、この総データを情報端末装置１０側へ送信することでＨＴＭＬデータを表示手段１２に表示させていた場合に比べ、ＨＴＭＬパラメータ（４９３ｂｙｔｅ）のみを保持させれば情報端末装置１０側では従来と同様の表示結果を得ることができる。
したがって、画像形成装置側で保持すべきデータ量（４９３ｂｙｔｅ）は、従来の１８．３Ｋｂｙｔｅの約３％にまで削減することができることが理解される。
【００３６】
以上、本発明の画像形成装置について、好ましい実施形態を示して説明したが、本発明に係る画像形成装置は、上述した実施形態にのみ限定されるものではなく、本発明の範囲で種々の変更実施が可能であることは言うまでもない。
例えば、上記実施形態においては、情報端末装置１０又は画像形成装置３０がＷｅｂ機能を有し、これによる状態情報としてのＨＴＭＬパラメータを情報端末装置１０側へ送信する場合について説明をしたが、これに限るものではなく、ネットワーク網２０で接続された情報端末装置１０と画像形成装置３０との間でのデータの送受信を行う場合には、このデータの内容に拘わらず、本実施形態の画像形成システムを適用することができる。
【産業上の利用可能性】
【００３７】
データ通信行うプリンタ，コピー機（複写機），ファクシミリ，スキャナ，デジタル複合機（マルチファンクションペリフェラル（ＭＦＰ））等の画像形成装置と、これにネットワーク接続された情報端末装置間でデータ通信を行う画像形成システムに好適に適用することができる。
【図面の簡単な説明】
【００３８】
【図１】本発明の実施形態に係る画像形成システムの全体構成図である。
【図２】本発明の実施形態に係る画像形成システムの全体動作を示したラダー図である。
【図３】本発明の実施形態に係る画像形成システムの情報端末装置におけるデータ結合を概念的に示した模式図である。
【符号の説明】
【００３９】
１０  情報端末装置
１１  入力手段
１２  表示手段
１３  記憶手段
１４  端末側制御手段
１４−１  データ結合部（データ結合手段）
１４−２  静的データ選択部（静的データ選択手段）
１５  端末側ネットワークインターフェイス（受信手段）
２０  ネットワーク網
３０  画像形成装置
３１  ネットワークインターフェイス
３２  メモリ
３３  制御手段
３３−１  動的データ読取部（動的データ読取手段）
４１  ＨＴＭＬパラメータ
４２  ＨＴＭＬテンプレート
４３  ＨＴＭＬデータ
４４  表示データ
【図１】
2005157769.tif 000003
【図２】
2005157769.tif 000004
【図３】
2005157769.tif 000005